【事件の表示】
　特願２００６−　３８４８４「記録装置、及び記録方法」拒絶査定不服審判事件〔平成１９年　８月３０日出願公開、特開２００７−２１６４７８〕について、次のとおり審決する。
【結　論】
　本件審判の請求は、成り立たない。
【理　由】
第１　手続の経緯  
　本願は、平成１８年２月１５日の特許出願であって、平成２１年２月１３日付け及び平成２３年４月２５日付けで手続補正がなされ、同年８月１日付けで拒絶査定がなされ、同年１１月７日に拒絶査定不服審判の請求がなされると同時に、手続補正がなされたものである。 
　その後当審において、平成２４年７月４日付けで拒絶の理由（以下「当審拒絶理由」という。）が通知されたところ、同年９月５日付けで手続補正がなされたものである。 
 　 
第２　本願発明
　本願の請求項１に係る発明（以下「本願発明」という。）は、平成２４年９月５日付け手続補正によって補正された特許請求の範囲の請求項１に記載された事項によって特定されるとおりの次のものであると認める。
「複数種類の記録媒体を給紙し、前記給紙された記録媒体に対して画像を記録する記録装置であって、
　前記記録媒体をユーザにセットさせる箇所が異なるとともに、異なる経路を介して前記記録媒体を給紙する複数の手差し給紙手段と、
　前記記録媒体の種類と前記複数の手差し給紙手段との対応関係を示すテーブルを格納する記憶手段と、
　記録データと記録に用いる記録媒体の種類を外部装置から入力する入力手段と、
　前記入力手段によって入力された記録媒体の種類と前記記憶手段に格納されたテーブルとに基づいて、給紙に使用する手差し給紙手段を前記複数の手差し給紙手段から選択する選択手段と、
　前記選択手段による選択結果に基づいて、選択された手差し給紙手段に記録媒体をセットするようユーザに促す情報を表示する表示手段と、
　前記選択された手差し給紙手段に記録媒体がセットされたかどうかを確認する確認手段と、
　前記セットされた記録媒体に前記入力手段により入力された記録データを用いて画像を記録する記録手段と、
　前記記録手段により画像が記録された記録媒体を排紙する排紙手段とを有し、
　前記複数の手差し給紙手段は、
　　前記排紙手段の排紙口が設けられた側とは反対側に記録媒体がセットされ、前記排紙手段の排紙口が設けられた側と同じ方向に該記録媒体が給紙された後に前記排紙手段の排紙口より当該記録媒体が排紙される第１の手差し給紙手段と、
　　前記排紙手段の排紙口が設けられた側と同じ側に記録媒体がセットされて給紙され、前記排紙手段の排紙口より排紙される第２の手差し給紙手段とを有し、
　前記表示手段は、前記入力手段によって入力された記録媒体の種類が、腰が強く曲がりにくい記録媒体を示す場合には、前記第１の手差し給紙手段に当該記録媒体をセットするようユーザに促す情報を表示することを特徴とする記録装置。」
　　
第３　引用刊行物
　本願出願前に頒布され、当審拒絶理由において引用された刊行物である、特開平１０−１２４２７７号公報（以下「引用例」という。）には、以下の記載がある。（下線は審決で付した。また、丸付き数字は「○１」のように記載した。以下同じ。）
（１）「【０００１】
【発明の技術分野】本発明は、帳票類を印刷する場合のように、
プリンタにセットされた複数タイプの用紙を選択的に用いて印刷を行うためのプリントシステムに関わる
【０００２】
【従来の技術および発明が解決しようとする課題】帳票類を印刷する場合の面倒な問題は、
個々の帳票毎に
紙種（普通紙、厚紙、封筒、葉書など
などの用紙タイプが異なる
【０００３】従って、本発明の目的は、複数タイプの用紙を選択的に用いて印刷を行うためのプリントシステムにおいて、プリンタにセットされている用紙タイプの確認、用紙の掛け替え、及び用紙毎のプリンタ設定値の変更を容易化してシステムを一層使いやすくすることにある。」
（２）「【００１０】
【発明の実施の形態】本発明の一実施形態を図面を参照して説明する。
【００１１】図１に示すように、
１台のプリンタ１を複数台のホストコンピュータ３、３、…が共用できるよう、それらが通信ネットワーク５を介して接続されている
【００１２】
プリンタ１は、図２に示すように複数の用紙パス、例えば、前方手差しトレイ１１、後方手差しトレイ１３、第１カットシート（単票）フィーダ（ＣＳＦ）ビン１５、第２ＣＳＦビン１７、前方連続帳票トラクタ１９、後方連続帳票トラクタ２１を有する。これらの用紙パスにはそれぞれに適合したタイプの帳票用紙をセットすることができる。それら用紙パスにセットされた用紙の内の一つを選択して印刷に使用することができる
（３）「【００１３】再び図１を参照して、
プリンタ１は「帳票メモリ」と呼ばれるメモリ（又はメモリ領域）２３を内蔵する。
帳票メモリ２３には、プリンタ１にセット可能な種々の帳票用紙に関するデータ（後述）が登録される
【００１４】各ホストコンピュータ３は、
○１　プリンタ１から帳票メモリ２３に登録されている帳票データのリストを受信してディスプレイ画面２５に表示する機能、
○２　新たな帳票データを帳票メモリ２３に登録するために、ユーザから入力された新たな帳票データをプリンタ１に送信する機能、及び
○３　ユーザからの入力に従って、プリンタ１にセットされている帳票用紙中から印刷に使用する一つの用紙を選択するための指示をプリンタ１に送信する機能を有する。
【００１５】また、プリンタ１は、
○１　現在選択されている帳票用紙の番号をコントロールパネル２７に表示する機能、
○２　ユーザからコントロールパネル２７への入力、又はホストコンピュータ３からの指示に従って、現在セットされている帳票用紙中から印刷に使用する一つの用紙を選択する機能、及び
○３　ホストコンピュータ３から新たな帳票データを受信して帳票メモリ２３に登録したり、帳票メモリ２３から登録データのリストを読み出してホストコンピュータ３へ送信する機能
を有する。」
（４）「【００１６】図３は、帳票メモリ２３に内容を例示する。
帳票メモリ２３には、例えば最大８種類までの帳票データが登録できる。各帳票データは、帳票番号、帳票名称、用紙パス、用紙サイズ、用紙種類、現在選択、及びプリンタ設定値が含まれる。ここで、「帳票番号」と「帳票名称」は、各帳票にユーザが任意に付与した番号及び名称である。「用紙パス」は、各帳票がセットされている（又は、セットされ得る）図２に示したようなＣＳＦビン、手差しトレイ又は連票トラクタを指す。
「用紙種類」は、普通紙、厚紙、封筒、葉書などの区別である。「現在選択」では、無印は該当の帳票がプリンタ１に現在セットされていないことを意味し、○印及び◎印は該当の帳票がプリンタ１に現在セットされていることを意味し、特に◎印は該当の帳票が印刷に使用するものとして現在選択されていることを意味する。「プリンタ設定値」は、給紙位置、ヘッド・プラテン間のギャップ長などの、該当の帳票を正しく印刷するためにプリンタに特別に設定しておく必要のある情報である。
（５）「【００１７】図４は、各
ホストコンピュータ３が備えるプログラム構成を示す
【００１８】図４において、プリンタチェッカ３１は、プリンタ１に帳票データ要求を送信し、その応答としてプリンタ１から返される帳票メモリ２３内の帳票データを受信して、これをレジスタ３３に保存する。プリンタチェッカ３１は、例えばホストコンピュータ３の起動時、周期的な適宜時期、又はプリンタドライバ３７の呼び出し時などに自動的に実行するようにすることができる。
【００１９】プリンタカスタマイザ３５は、帳票データの登録、帳票の選択、及び印刷処理を行うためのプログラムである。プリンタカスタマイザ３５は、帳票データの登録モードでは、レジスタ３３から帳票データを読み込み、帳票データのリストををディスプレイ画面２５上のグラフィカルユーザインタフェース（ＧＵＩ）に表示する。表示する帳票データリストは、例えば図３に示したように、帳票番号、帳票名称、用紙パス、用紙種類、現在選択、プリンタ設定値などの帳票データの全項目を含んでいる。ユーザは入力装置２９から新規登録したい帳票データを入力することができる。プリンタカスタマイザ３５は、ユーザが入力した帳票データをプリンタ１へ送信して、これを帳票メモリ２３に新規登録するようプリンタ１に指示し、その後、プリンタチェッカ３１を呼び出して新規登録後の帳票メモリ２３の内容を受信させ、これを図３に示したような形式でＧＵＩに表示する。
【００２０】また、
プリンタカスタマイザ３５は、帳票の選択モードでは、レジスタ３３から帳票データを読み込み、帳票データのリストをＧＵＩに表示する。このときのリストの形式は、例えば図５に示すように、帳票番号、帳票名称、用紙パス、現在選択などの帳票データの内の用紙選択に役立つ項目を含んでいる。ユーザは、このリスト中のどの帳票を使用するかを決めて、入力装置２９から入力することができる。プリンタカスタマイザ３５は、ユーザの決めた帳票を使用帳票として選択するための指示をプリンタ１へ送信し
【００２１】また、
プリンタカスタマイザ３５は、印刷モードでは、プリンタドライバ３７を呼び出し、これに印刷データを送って処理させる。プリンタドライバ３７は、一般的なプリンタドライバと同じ機能を持つ。プリンタドライバ３７は、印刷データに必要な前処理を施し、これを所定のプリンタ制御言語による印刷コマンドの形式にする。この印刷コマンドはプリンタ１へ送られる
【００２２】尚、プリンタチェッカ３１からの帳票データ要求や、プリンタカスタマイザ３５からの新規帳票データの登録指示や帳票の選択指示も、プリンタ制御言語による印刷コマンドの形式でプリンタ１に送られる。」
（６）「【００２３】図６は、
プリンタ１の機能構成を示す
【００２４】図６において、
印刷コマンド解釈部４１は、ホストコンピュータ３から受信された印刷コマンドの形式のデータを解釈する。前述のように、印刷コマンドの形式のデータには、印刷データの他、プリンタチェッカ３１からの帳票データ要求や、プリンタカスタマイザ３５からの新規帳票データの登録指示や帳票の選択指示などがある
【００２５】
コントロールパネル２７は、例えば図７に示すように、一般のプリンタが備える表示ランプ及びボタン類６１に加えて、現在選択されている帳票の帳票番号を表示する液晶表示器６３、現在選択されている帳票の用紙パスの種類（前方連続帳票トラクタ１９、後方連続帳票トラクタ２１、ＣＳＦビン１５、１７）を表示するパス表示ランプ６５、及び帳票を選択するための選択ボタン６７を備える。コントロールパネル２７は、帳票メモリ２３から現在選択されている帳票の番号を取得して液晶表示器６３に表示し、且つその選択されている帳票がセットされている用紙パスに対応するパス表示ランプ６５を点灯させる。
【００２６】再び図６を参照して、
ホストコンピュータ３から印刷データを受信したときは、印刷コマンド解釈部４１の印刷処理部４９が、印刷データを解釈して印刷イメージを生成し、この印刷イメージを印刷制御部５７に渡すと共に、紙送り制御部５３に印刷データにより指定された用紙サイズやその他の紙送りに必要な制御データ及び制御信号を送る。紙送り制御部５３は、帳票メモリ２３を参照して現在選択されている帳票の用紙パスとプリンタ設定値を認識し、その選択されている用紙パスから用紙を取り込んでプリンタ設定値に従ってその用紙を搬送するよう、紙送り機構５５を制御する。紙送り機構５５は、図２に示した用紙パス１１〜２１から用紙を取り込み印刷機構へ搬送し且つ排出するための機構であり、紙送り制御部５３からの選択に従って使用する用紙パスを切換える機能や、使用する用紙パスにセットされた用紙のサイズを自動的に検出して紙送り制御部５３に通知する機能をもつ。用紙の選択や紙送りに関してエラーが発生した場合（例えば、選択された帳票用紙がセットされていない、選択された用紙のサイズが適正でないなど）には、紙送り制御部５３は、プリンタの他の部分の動作を一旦停止させると共に、コントロールパネル２７にエラーメッセージを表示させる
【００２７】
印刷制御部５７は、印刷機構５９を駆動して、用紙上に印刷イメージを形成させる
（７）「【００２８】図９は、
紙送り制御部５３の処理流れを示す
【００２９】まず、
帳票メモリ２３上で選択されている帳票用紙（目的の用紙）が、紙送り機構５５において実際の選択状態（つまり、目的の用紙の用紙パスが実際に用紙をフィードできる状態）になっているか否かをチェックする
目的の用紙が実際の選択状態になっていない場合には、次に、目的の用紙がプリンタ１にセットされている（つまり、帳票メモリ２３上で目的の用紙に対して用紙パスが登録されている）か否かをチェックする
目的の用紙がプリンタ１にセットされていない場合は、その旨のメッセージをコントロールパネル２７に表示して（加えてホストコンピュータ３に返送してもよい）、ユーザに対し、目的の用紙を用紙パスにセットして帳票データを正しく登録し直すか、セットされている帳票用紙を選択するよう報知し、それがユーザによって行われた（Ｓ４）後に、目的用紙の用紙送りを実行する
【００３０】用紙送りの実行中は、用紙なしエラー（目的用紙の用紙パスに用紙が無いこと）、用紙切換え未完了エラー（ステップＳ３の切換えが未完了）、用紙幅不一致エラー（帳票メモリ上の用紙サイズ、印刷データが指定した用紙サイズ、及び紙送り機構５５が検出した実際の用紙サイズの何れかの間で用紙幅が相違する）、及び用紙ジャムエラー（用紙搬送路に用紙が詰る）の発生を監視する（Ｓ６、Ｓ８、Ｓ１０、Ｓ１２）。エラーが発生すると、その旨のメッセージをコントロールパネル２７に表示し（加えてホストコンピュータ３に返送してもよい）、ユーザによってエラーが解消されると（Ｓ７、Ｓ９、Ｓ１１、Ｓ１３）、紙送りを続行する。」
（８）上記（２）、（７）及び図２から、
前方手差しトレイ１１は、排紙される側とは反対側に帳票用紙がセットされ、排紙される側と同じ方向に帳票用紙が給紙された後に当該帳票用紙が排紙されるものであり、また、後方手差しトレイ１３は、排紙される側と同じ側に帳票用紙がセットされて給紙されて排紙されるものである
（９）上記（４）及び図３から、
帳票メモリ２３には、帳票データがテーブルとして登録されている
　　
　上記記載事項（１）ないし（９）の記載からみて、引用例には、以下の発明が記載されているものと認められる。 
「ホストコンピュータ３は、プリンタカスタマイザ３５とプリンタドライバ３７とを備え、
　プリンタカスタマイザ３５は、
　　帳票の選択モードでは、レジスタ３３から帳票データを読み込み、帳票データのリストをＧＵＩに表示して、ユーザが、このリスト中のどの帳票を使用するかを決めて、入力装置２９から入力すると、プリンタカスタマイザ３５は、ユーザの決めた帳票を使用帳票として選択するための指示をプリンタ１へ送信し、
　　印刷モードでは、プリンタドライバ３７を呼び出し、これに印刷データを送って処理させるものであり、
　プリンタドライバ３７は、印刷データに必要な前処理を施し、これを所定のプリンタ制御言語による印刷コマンドの形式にして、この印刷コマンドをプリンタ１へ送るものであり、
　プリンタ１は、排紙される側とは反対側に帳票用紙がセットされ、排紙される側と同じ方向に帳票用紙が給紙された後に当該帳票用紙が排紙される前方手差しトレイ１１、排紙される側と同じ側に帳票用紙がセットされて給紙されて排紙される後方手差しトレイ１３、第１カットシート（単票）フィーダ（ＣＳＦ）ビン１５、第２ＣＳＦビン１７、前方連続帳票トラクタ１９、後方連続帳票トラクタ２１、である複数の用紙パスを有し、それぞれの用紙パスに適合したタイプの普通紙、厚紙、封筒、葉書など紙種の異なる帳票用紙をセットすることができるものであって、それら用紙パスにセットされた用紙の内の一つを選択して印刷に使用することができ、
　さらに、プリンタ１は、プリンタ１にセット可能な種々の帳票用紙に関するデータが登録される帳票メモリ２３を内蔵し、コントロールパネル２７、紙送り機構５５及び印刷機構５９を備えるとともに、印刷コマンド解釈部４１、紙送り制御部５３及び印刷制御部５７の機能を有するものであって、
　帳票メモリ２３には、各帳票にユーザが任意に付与した番号である『帳票番号』及び名称である『帳票名称』、各帳票がセットされている（又は、セットされ得る）ＣＳＦビン、手差しトレイ又は連票トラクタを指す『用紙パス』、普通紙、厚紙、封筒、葉書などの区別である『用紙種類』、無印は該当の帳票がプリンタ１に現在セットされていないことを意味し、○印及び◎印は該当の帳票がプリンタ１に現在セットされていることを意味し、特に◎印は該当の帳票が印刷に使用するものとして現在選択されていることを意味する『現在選択』、給紙位置、ヘッド・プラテン間のギャップ長などの、該当の帳票を正しく印刷するためにプリンタに特別に設定しておく必要のある情報である『プリンタ設定値』、が含まれる帳票データがテーブルとして登録され、
　コントロールパネル２７は、一般のプリンタが備える表示ランプ及びボタン類６１に加えて、現在選択されている帳票の帳票番号を表示する液晶表示器６３、現在選択されている帳票の用紙パスの種類（前方連続帳票トラクタ１９、後方連続帳票トラクタ２１、ＣＳＦビン１５、１７）を表示するパス表示ランプ６５、及び帳票を選択するための選択ボタン６７を備え、帳票メモリ２３から現在選択されている帳票の番号を取得して液晶表示器６３に表示し、且つその選択されている帳票がセットされている用紙パスに対応するパス表示ランプ６５を点灯させるものであり、
　印刷コマンド解釈部４１は、ホストコンピュータ３から受信された印刷コマンドの形式のデータを解釈するものであり、
　プリンタ１と通信ネットワーク５を介して接続されているホストコンピュータ３からなる、プリンタ１にセットされた複数タイプの用紙を選択的に用いて印刷を行うためのプリントシステムにおけるプリンタ１において、
　プリンタ１がホストコンピュータ３から印刷データを受信したときは、
　印刷コマンド解釈部４１の印刷処理部４９が、印刷データを解釈して印刷イメージを生成し、この印刷イメージを印刷制御部５７に渡すと共に、紙送り制御部５３に印刷データにより指定された用紙サイズやその他の紙送りに必要な制御データ及び制御信号を送り、
　紙送り制御部５３は、帳票メモリ２３を参照して現在選択されている帳票の用紙パスとプリンタ設定値を認識し、その選択されている用紙パスから用紙を取り込んでプリンタ設定値に従ってその用紙を搬送するよう、用紙パス１１〜２１から用紙を取り込み印刷機構５９へ搬送し且つ排出するための機構である紙送り機構５５を制御し、
　紙送り機構５５は、紙送り制御部５３からの選択に従って使用する用紙パスを切換える機能や、使用する用紙パスにセットされた用紙のサイズを自動的に検出して紙送り制御部５３に通知する機能をもつものであって、選択された帳票用紙がセットされていないときには、紙送り制御部５３は、プリンタの他の部分の動作を一旦停止させると共に、コントロールパネル２７にエラーメッセージを表示させるものであって、
　紙送り制御部５３は、帳票メモリ２３上で選択されている帳票用紙（目的の用紙）が、紙送り機構５５において実際の選択状態（つまり、目的の用紙の用紙パスが実際に用紙をフィードできる状態）になっているか否かをチェックし、目的の用紙が実際の選択状態になっていない場合には、次に、目的の用紙がプリンタ１にセットされている（つまり、帳票メモリ２３上で目的の用紙に対して用紙パスが登録されている）か否かをチェックし、目的の用紙がプリンタ１にセットされていない場合は、その旨のメッセージをコントロールパネル２７に表示して、ユーザに対し、目的の用紙を用紙パスにセットして帳票データを正しく登録し直すか、セットされている帳票用紙を選択するよう報知し、それがユーザによって行われた後に、目的用紙の用紙送りを実行し、
　印刷制御部５７は、印刷機構５９を駆動して、用紙上に印刷イメージを形成させるものである、
プリンタ１。」（以下「引用発明」という。）
　　
第４　対比・判断
　本願発明と引用発明とを対比する。
（１）引用発明の「プリンタ１」が本願発明の「記録装置」に、以下同様に「帳票」、「帳票用紙」及び「用紙」が「記録媒体」に、「印刷機構５９」が「記録手段」に、「前方手差しトレイ１１」及び「後方手差しトレイ１３」が「手差し給紙手段」に、「印刷イメージ」が「画像」に、「帳票メモリ２３」が「記憶手段」に、「テーブル」が「テーブル」に、「印刷データ」が「記録データ」に、「メッセージ」が「情報」に、「表示」が「表示」に、「フィード」が「給紙」に、それぞれ相当している。
（２）引用発明の「プリンタ１（記録装置）」は、「それぞれの用紙パスに適合したタイプの普通紙、厚紙、封筒、葉書など紙種の異なる『帳票用紙（記録媒体）』をセットすることができるものであって、それら用紙パスにセットされた『用紙（記録媒体）』の内の一つを選択して印刷に使用することができ」るものであって、「『印刷機構５９（記録手段）』を駆動して、『用紙（記録媒体）』上に『印刷イメージ（画像）』を形成させる」「印刷制御部５７」を有しているから、本願発明の「記録装置」と、「複数種類の記録媒体を給紙し、前記給紙された記録媒体に対して画像を記録する」点で一致する。
（３）引用発明の「プリンタ１（記録装置）」は、「排紙される側とは反対側に『帳票用紙（記録媒体）』がセットされ、排紙される側と同じ方向に『帳票用紙（記録媒体）』が給紙された後に当該『帳票用紙（記録媒体）』が排紙される『前方手差しトレイ１１（手差し給紙手段）』」及び「排紙される側と同じ側に『帳票用紙（記録媒体）』がセットされて給紙されて排紙される『後方手差しトレイ１３（手差し給紙手段）』」を有するものであるから、引用発明の「前方手差しトレイ１１及び後方手差しトレイ１３」は「複数の手差し給紙手段」ということができ、引用発明の「プリンタ１（記録装置）」と本願発明の「記録装置」は、「複数の手差し給紙手段」を有する点で一致する。
（４）上記（３）から、引用発明の「前方手差しトレイ１１及び後方手差しトレイ１３（複数の手差し給紙手段）」と引用発明の「複数の手差し給紙手段」は、「前記『帳票用紙（記録媒体）』をユーザにセットさせる箇所が異なるとともに、異なる経路を介して前記『帳票用紙（記録媒体）』を給紙する」点で一致する。
（５）引用発明の「プリンタ１（記録装置）」は、「プリンタ１にセット可能な種々の『帳票用紙（記録媒体）』に関するデータが登録される『帳票メモリ２３（記憶手段）』を内蔵」するものであって、「帳票メモリ２３（記憶手段）」には、「各『帳票（記録媒体）』がセットされている（又は、セットされ得る）ＣＳＦビン、手差しトレイ又は連票トラクタを指す『用紙パス』」及び「普通紙、厚紙、封筒、葉書などの区別である『用紙種類』」「が含まれる帳票データが『テーブル（テーブル）』として登録され」るものであるから、引用発明の「帳票メモリ２３（記憶手段）」は「前記『帳票用紙（記録媒体）』の種類と前記『前方手差しトレイ１１及び後方手差しトレイ１３（複数の手差し給紙手段）』との対応関係を示すテーブルを格納する」「記憶手段」ということができる。
（６）引用発明の「ホストコンピュータ３」は、「『プリンタ１（記録装置）』と通信ネットワーク５を介して接続されている」から、本願発明の「外部装置」に相当する。
（７）引用発明の「ホストコンピュータ３（外部装置）」は、「プリンタカスタマイザ３５とプリンタドライバ３７とを備え」、「プリンタカスタマイザ３５は、『帳票（記録媒体）』の選択モードでは、レジスタ３３から帳票データを読み込み、帳票データのリストをＧＵＩに表示して、ユーザが、このリスト中のどの『帳票（記録媒体）』を使用するかを決めて、入力装置２９から入力すると、プリンタカスタマイザ３５は、ユーザの決めた『帳票（記録媒体）』を使用帳票として選択するための指示を『プリンタ１（記録装置）』へ送信し、印刷モードでは、プリンタドライバ３７を呼び出し、これに『印刷データ（記録データ）』を送って処理させるものであり」、「プリンタドライバ３７は、『印刷データ（記録データ）』に必要な前処理を施し、これを所定のプリンタ制御言語による印刷コマンドの形式にして、この印刷コマンドを『プリンタ１（記録装置）』へ送るものであ」るから、「『印刷データ（記録データ）』と記録に用いる『帳票（記録媒体）』の種類を『プリンタ１（記録装置）』へ送る」ものである。
　そして、引用発明の「プリンタ１（記録装置）」は、「『ホストコンピュータ３（外部装置）』から『印刷データ（記録データ）』を受信したときは」、「印刷コマンド解釈部４１の印刷処理部４９が、『印刷データ（記録データ）』を解釈して『印刷イメージ（画像）』を生成し、この『印刷イメージ（画像）』を印刷制御部５７に渡すと共に、紙送り制御部５３に『印刷データ（記録データ）』により指定された用紙サイズやその他の紙送りに必要な制御データ及び制御信号を送り」、「紙送り制御部５３は、『帳票メモリ２３（記憶手段）』を参照して現在選択されている『帳票（記録媒体）』の用紙パスとプリンタ設定値を認識し、その選択されている用紙パスから『用紙（記録媒体）』を取り込んでプリンタ設定値に従ってその『用紙（記録媒体）』を搬送するよう、用紙パス１１〜２１から用紙を取り込み『印刷機構５９（記録手段）』へ搬送し且つ排出するための機構である紙送り機構５５を制御し」、「印刷制御部５７は、『印刷機構５９（記録手段）』を駆動して、『用紙（記録媒体）』上に『印刷イメージ（画像）』を形成させる」ものである。
　してみると、引用発明の「プリンタ１（記録装置）」は、「『印刷データ（記録データ）』と記録に用いる『用紙（記録媒体）』の種類を『ホストコンピュータ３（外部装置）』から入力する入力手段」を有するものということができる。
（８）引用発明の「用紙パス１１〜２１」は、「前方手差しトレイ１１及び後方手差しトレイ１３（複数の手差し給紙手段）」を含むものであることは明らかである。
（９）引用発明の「プリンタ１（記録装置）」は、「『ホストコンピュータ３（外部装置）』から『印刷データ（記録データ）』を受信したときは」、「印刷コマンド解釈部４１の印刷処理部４９が、『印刷データ（記録データ）』を解釈して『印刷イメージ（画像）』を生成し、この『印刷イメージ（画像）』を印刷制御部５７に渡すと共に、紙送り制御部５３に『印刷データ（記録データ）』により指定された用紙サイズやその他の紙送りに必要な制御データ及び制御信号を送り」、「紙送り制御部５３は、『帳票メモリ２３（記憶手段）』を参照して現在選択されている『帳票（記録媒体）』の用紙パスとプリンタ設定値を認識し、その選択されている用紙パスから『用紙（記録媒体）』を取り込んでプリンタ設定値に従ってその『用紙（記録媒体）』を搬送するよう、用紙パス１１〜２１から『用紙（記録媒体）』を取り込み『印刷機構５９（記録手段）』へ搬送し且つ排出するための機構である紙送り機構５５を制御」するものである。
　すると、上記（８）とから、引用発明の「プリンタ１（記録装置）」は、「前記入力手段によって入力された『帳票（記録媒体）』の種類と前記『帳票メモリ２３（記憶手段）』に格納された『テーブル（テーブル）』とに基づいて、給紙に使用する手差し給紙手段を前記『前方手差しトレイ１１及び後方手差しトレイ１３（複数の手差し給紙手段）』から選択する選択手段」を有するものということができる。
　また、このとき選択された、ともに手差し給紙手段である「前方手差しトレイ１１」あるいは「後方手差しトレイ１３」が、「選択された手差し給紙手段」といえることは明らかである。
（１０）引用発明の「プリンタ１（記録装置）」において、「コントロールパネル２７」は、「目的の『用紙（記録媒体）』が『プリンタ１（記録装置）』にセットされていない場合は、その旨の『メッセージ（情報）』」を「『表示（表示）』」しているから、「表示手段」ということができる。
（１１）引用発明の「プリンタ１（記録装置）」において、「メッセージ（表示）」は、「目的の『用紙（記録媒体）』が『プリンタ１（記録装置）』にセットされていない場合」に、「ユーザに対し、目的の『用紙（記録媒体）』を用紙パスにセットして帳票データを正しく登録し直すか、セットされている『帳票用紙（記録媒体）』を選択するよう報知」するために「『コントロールパネル２７（表示手段）』に『表示（表示）』」されるものである。
　すると、上記（８）ないし（１０）から、引用発明の「コントロールパネル２７（表示手段）」は、「前記選択手段による選択結果に基づいて、『前方手差しトレイ１１あるいは後方手差しトレイ１３（選択された手差し給紙手段）』に『用紙（記録媒体）』をセットするようユーザに促す『メッセージ（情報）』を表示する」ものということができる。
（１２）引用発明の「プリンタ１（記録装置）」において、「紙送り制御部５３」は、「使用する用紙パス」に「選択された『帳票用紙（記録媒体）』がセットされていないときには」「『帳票メモリ２３（記憶手段）』上で選択されている（目的の『用紙（記録媒体）』）が、紙送り機構５５において実際の選択状態（つまり、目的の『用紙（記録媒体）』の用紙パスが実際に『用紙（記録媒体）』を『フィード（給紙）』できる状態）になっているか否かをチェックし、目的の『用紙（記録媒体）』が実際の選択状態になっていない場合には、次に、目的の『用紙（記録媒体）』が『プリンタ１（記録装置）』にセットされている（つまり、『帳票メモリ２３（記憶手段）』上で目的の『用紙（記録媒体）』に対して用紙パスが登録されている）か否かをチェックし、目的の『用紙（記録媒体）』が『プリンタ１（記録装置）』にセットされていない場合は、その旨の『メッセージ（情報）』を『コントロールパネル２７（表示手段）』に『表示（表示）』して、ユーザに対し、目的の『用紙（記録媒体）』を用紙パスにセットして帳票データを正しく登録し直すか、セットされている『帳票用紙（記録媒体）』を選択するよう報知し、それがユーザによって行われた後に、目的の『用紙（記録媒体）』の用紙送りを実行」するものである。
　してみると、上記（８）及び（９）とから、引用発明の「紙送り制御部５３」は、「前記『前方手差しトレイ１１あるいは後方手差しトレイ１３（選択された手差し給紙手段）』に『用紙（記録媒体）』がセットされたかどうかを確認する」「確認手段」ということができる。
（１３）上記（２）、（８）ないし（１２）から、引用発明の「プリンタ１（記録装置）」における「印刷機構５９（記録手段）」は、「前記セットされた『用紙（記録媒体）』に前記入力手段により入力された『印刷データ（記録データ）』を用いて『印刷イメージ（画像）』を記録する」ものということができる。
（１４）引用発明の「プリンタ１（記録装置）」は、「用紙パス１１〜２１から『用紙（記録媒体）』を取り込み『印刷機構５９（記録手段）』へ搬送し且つ排出するための機構である紙送り機構５５」を有するから、上記（１３）とより、「前記『印刷機構５９（記録手段）』により『印刷イメージ（画像）』が記録された『用紙（記録媒体）』を排紙する」「排紙手段」及び「排紙手段の排紙口」を有し、「排紙手段の排紙口」は「『用紙（記録媒体）』」を「排出する」部分に設けられていることは明らかである。
（１５）引用発明の「前方手差しトレイ１１（手差し給紙手段）」は、「排紙される側とは反対側に『帳票用紙（記録媒体）』がセットされ、排紙される側と同じ方向に『帳票用紙（記録媒体）』が給紙された後に当該『帳票用紙（記録媒体）』が排紙される」から、本願発明の「第１の手差し給紙手段」に相当する。
（１６）引用発明の「後方手差しトレイ１３（手差し給紙手段）」は、「排紙される側と同じ側に『帳票用紙（記録媒体）』がセットされて給紙されて排紙される」から、本願発明の「第２の手差し給紙手段」に相当する。
（１７）上記（７）ないし(１１)及び（１５）から、引用発明の「コントロールパネル２７（表示手段）」は、「前記入力手段によって入力された『帳票用紙（記録媒体）』の種類が、『前方手差しトレイ１１（第１の手差し給紙手段）』に適合する『帳票用紙（記録媒体）』を示す場合には、前記『前方手差しトレイ１１（第１の手差し給紙手段）』に当該『帳票用紙（記録媒体）』をセットするようユーザに促す『メッセージ（情報)』を『表示（表示）』する」点で、本願発明の「表示手段」と一致するということができる。
　　
　上記（１）ないし（１７）から、本願発明と、引用発明は、以下の点で一致している。
「複数種類の記録媒体を給紙し、前記給紙された記録媒体に対して画像を記録する記録装置であって、
　前記記録媒体をユーザにセットさせる箇所が異なるとともに、異なる経路を介して前記記録媒体を給紙する複数の手差し給紙手段と、
　前記記録媒体の種類と前記複数の手差し給紙手段との対応関係を示すテーブルを格納する記憶手段と、
　記録データと記録に用いる記録媒体の種類を外部装置から入力する入力手段と、
　前記入力手段によって入力された記録媒体の種類と前記記憶手段に格納されたテーブルとに基づいて、給紙に使用する手差し給紙手段を前記複数の手差し給紙手段から選択する選択手段と、
　前記選択手段による選択結果に基づいて、選択された手差し給紙手段に記録媒体をセットするようユーザに促す情報を表示する表示手段と、
　前記選択された手差し給紙手段に記録媒体がセットされたかどうかを確認する確認手段と、
　前記セットされた記録媒体に前記入力手段により入力された記録データを用いて画像を記録する記録手段と、
　前記記録手段により画像が記録された記録媒体を排紙する排紙手段とを有し、
　前記複数の手差し給紙手段は、
　　前記排紙手段の排紙口が設けられた側とは反対側に記録媒体がセットされ、前記排紙手段の排紙口が設けられた側と同じ方向に該記録媒体が給紙された後に前記排紙手段の排紙口より当該記録媒体が排紙される第１の手差し給紙手段と、
　　前記排紙手段の排紙口が設けられた側と同じ側に記録媒体がセットされて給紙され、前記排紙手段の排紙口より排紙される第２の手差し給紙手段とを有し、
　前記表示手段は、前記入力手段によって入力された記録媒体の種類が、第１の手差し給紙手段に適合する記録媒体を示す場合には、前記第１の手差し給紙手段に当該記録媒体をセットするようユーザに促す情報を表示する記録装置。」 
　　
　そして、以下の点で相違している。 
（相違点）
　「前記入力手段によって入力された記録媒体の種類が、第１の手差し給紙手段に適合する記録媒体を示す場合には、前記第１の手差し給紙手段に当該記録媒体をセットするようユーザに促す情報を表示する」「表示手段」における「第１の手差し給紙手段に適合する記録媒体」について、本願発明では「第１の手差し給紙手段に適合する記録媒体」が「腰が強く曲がりにくい記録媒体」と特定されているのに対し、引用発明の「第１の手差し給紙手段に適合する記録媒体」は、そのような特定はなされてはいない点。
　　
　上記相違点について検討する。 
（相違点について） 
　引用発明の「プリンタ１（記録装置）」も、「複数タイプの用紙を選択的に用い」るものであって、「それぞれの用紙パスに適合したタイプの普通紙、厚紙、封筒、葉書など紙種の異なる帳票用紙をセットすることができるものであって、それら用紙パスにセットされた用紙の内の一つを選択して印刷に使用することができ」るものである。
　ここで、本願の明細書の段落【００２５】に「厚紙など腰が強く曲げることのできない用紙」と示されているとおり、「厚紙」は「腰が強く曲がりにくい」「記録媒体」に含まれるものであることは、当業者に明らかである。
　そして、厚紙を搬送する場合に、複数搬送路を有する装置において、なるべく曲率半径が大きいか、直線状である搬送路を用いた搬送を行うことが好ましいことは、いずれも本願出願前に頒布された刊行物である、実願昭６１−１５２７９３号（実開昭６３−６０３４２号）のマイクロフイルム（特に、第２頁２０行〜第３頁２行及び第１図参照。）、特開平２−１２１４６１号公報（特に、第６頁左下欄５〜７行参照。）に示されているとおり、当業者に広く認識されている技術事項である。
　また、記録装置において、厚紙のような「腰が強く曲がりにくい記録媒体」に画像を記録する場合に、複数の給紙手段のうちから、給送搬送路が直線的となるような位置にある手差し給紙手段に記録媒体をセットして画像の記録を行うことは、いずれも本願出願前に頒布され、当審拒絶理由において引用された刊行物である、特開２００２−６００７３号公報（特に、段落【０００３】，【００３２】〜【００４１】及び図１，図２，図４参照。）、特開２００１−１２１７６０号公報（特に、段落【００１０】及び図１０参照。）、実願昭６３−１６１６８６号（実開平２−８２５５１号）のマイクロフイルム（特に、第４頁１２行〜１６行，第６頁１４行〜第７頁８行及び第１図，第２図参照。）に記載されているとおり、周知技術にすぎない。
　してみると、引用発明のように、複数の手差し給紙手段である、前方手差しトレイ１１及び後方手差しトレイ１３を有する記録装置においても、「腰が強く曲がりにくい」「記録媒体」である厚紙を搬送する場合に、なるべく曲率半径が大きいか、直線状である搬送路を用いた搬送を行うことが好ましいことは明らかであるから、引用発明に周知技術を適用して相違点の構成を得ることは、当業者が適宜なし得たことである。
　　
　そして、本願発明の効果も引用発明及び周知技術から当業者が予測し得る範囲のものであって格別なものということができない。 
　すなわち、本願発明は、当審拒絶理由に記載された引用例記載の発明及び周知技術に基づき、当業者が容易に発明をすることができたものと認める。
　　
第５　むすび
　以上のとおり、本願発明は、当審拒絶理由に記載された引用例記載の発明及び周知技術に基づき、当業者が容易に発明をすることができたものであるから、特許法第２９条第２項の規定により特許を受けることができない。
　　
　よって、結論のとおり審決する。